(57)【要約】【課題】  レフィール交換時において、コイルスプリングへのレフィールの差込が容易であり、かつノック時の作動感も良好な出没式の筆記具を提供する。【解決手段】  コイルスプリング３０で尾端側に弾発された一本のレフィール２０が軸筒内に収容され、出没機構の作動により、レフィール先端のペン体２１が軸筒１０の先端開口から出没する筆記具において、軸筒を着脱可能に接続された前軸１２と後軸１１とで構成し、前軸の尾端側に円錐状をしたコイルスプリング後端の大径部３２を固定し、コイルスプリング先端の係止部３１をレフィールの突部２２に係止する。【選択図】  図１
2006130852.tif 000002
【特許請求の範囲】
【請求項１】
コイルスプリングで尾端側に弾発された一本のレフィールが軸筒内に収容され、出没機構の作動により、レフィール先端のペン体が軸筒の先端開口から出没する筆記具において、
前記軸筒は前軸と後軸が着脱可能に接続されてなり、該前軸の尾端側に円錐状をしたコイルスプリング後端の大径部が固定され、該コイルスプリング先端の係止部がレフィールの突部に係止したことを特徴とする筆記具。
【発明の詳細な説明】
【技術分野】
【０００１】
本発明は、出没機構の作動によりレフィール先端のペン体が軸筒の先端開口から出没する筆記具に関するものである。
【背景技術】
【０００２】
図３は、従来から広く知られたノック式のボールペンを示す。軸筒１０は着脱可能に接続された後軸１１と前軸１２とからなり、前軸１２に先口１３が接続されている。軸筒１０内にはコイルスプリング３０により尾端側に弾発された１本のボールペンレフィール２０が収容されている。後軸１１内に配置された出没機構は、カム筒４０、ノック棒５０、回転子６０などからなる周知のダブルノック式であり、ノック釦５１をノックすると回転子６０が前後動してボールペンレフィール２０先端のペン体２１が先口１３の先端開口から出没する。
ここで、コイルスプリング３０は、先端部３３が先口１３内に圧入された状態で先口１３に固定されており、後端の係止部３１がレフィール２０の突出部２２に係止して尾端側に弾発している。
【発明の開示】
【発明が解決しようとする課題】
【０００３】
レフィール２０のインキを使い切って新しいレフィールに交換するとき、前軸１２を後軸１１から分離すると、レフィール２０は前軸１２と共に後軸１１から分離される。そして、インキを使い切ったレフィール２０をコイルスプリング３０から引き抜き、次に新しいレフィール２０をコイルスプリング３０に差し込み、前軸１２を後軸１１に接続するとレフィール交換が完了する。
【０００４】
【特許文献１】特開２００３−３２６８８９公報
【０００５】
このように、レフィール交換に際して、新しいレフィール２０をコイルスプリング３０に差し込むが、コイルスプリング３０は、先端部３３が先口１３内に圧入された状態で先口１３に固定されているので、コイルスプリング３０の尾端側が左右に揺れて係止部３１の位置が定まりにくい。そして、係止部３１は後端開口が拡開されて幾分大径になっているものの、前軸１２の内部に位置するので、新しいレフィール２０をコイルスプリング３０に差し込みにくい不具合がある。
【０００６】
また、コイルスプリング３０の先端部３３を先口１３内に圧入して固定するので、強度上の理由からペン体２１をガイドする先口１３の案内部１３１が長くなる。このため、ノック時にペン体２１が長い距離の案内部１３１に摺動するので、良好な作動感を得にくい不具合がある。
【０００７】
そこで本発明は、レフィール交換時において、コイルスプリングへのレフィールの差込が容易であり、かつノック時の作動感も良好な出没式の筆記具を提供することを目的とする。
【課題を解決するための手段】
【０００８】
かかる目的を達成するために、本発明は、コイルスプリングで尾端側に弾発された一本のレフィールが軸筒内に収容され、出没機構の作動により、レフィール先端のペン体が軸筒の先端開口から出没する筆記具において、軸筒を着脱可能に接続された前軸と後軸とで構成し、前軸の尾端側に円錐状をしたコイルスプリング後端の大径部を固定し、コイルスプリング先端の係止部をレフィールの突部に係止する。
【発明の効果】
【０００９】
このように、円錐状をしたコイルスプリングの大径部を前軸の尾端側に固定し、コイルスプリング先端の係止部をレフィールの突部に係止するので、先端の係止部が左右に揺れても、前軸の尾端開口から挿入されたレフィールは、先端のペン体が円錐状をしたコイルスプリングの内周面にガイドされるので、容易にコイルスプリングに差し込まれ、係止部がレフィールの突部に係止する。また、コイルスプリングを前軸の尾端側に固定するので、先口の案内部を短くすることができ、ノック時の作動感が向上する。
【発明を実施するための最良の形態】
【００１０】
図１および図２は、ノック式ボールペンに本発明を適用した例を示す。図１において、軸筒１０は合成樹脂製の後軸１１と金属製の前軸１２からなり、後軸１１と前軸１２は継ぎ手１４を介して着脱可能に接続されている。つまり、前軸１２に固定された継ぎ手１４が後軸１１に螺合されている。前軸１２の先端には先口１３が接続されているが、先口１３は前軸１２と一体になったものであってもよい。後軸１１内には出没機構が配置されているが、出没機構はカム筒４０、ノック棒５０、回転子６０などからなる周知のダブルノック式であり、ノック釦５１が後軸１１の尾端開口から突出している。
【００１１】
軸筒１０内に１本のボールペンレフィール２０が収容されているが、ボールペンレフィール２０の中腹部は、押圧変形することによりに突部２２が形成され、先端にはペン体２１が取り付けられている。ペン体２１はステンレスにて砲弾型に成形されたものであり、その先端のボールハウス内に、例えば外径が０．５ｍｍであり、超硬合金からなるボールが回転可能に抱持されており、ボールペンレフィール２０内のインキがボールに供給されて筆記に供される。
【００１２】
ボールペンレフィール２０はコイルスプリング３０により尾端側に弾発され、その尾端面は回転子６０に当接している。ここで、コイルスプリング３０は、先端に孔を有する円錐状をしており、前軸の尾端側に円錐状をしたコイルスプリング３０後端の大径部３２が継ぎ手１４に固定されており、つまり前軸１３の尾端側に固定されている。そして、ボールペンレフィール２０はコイルスプリング３０の先端孔に差し込まれ、コイルスプリング３０先端の係止部３１がボールペンレフィール２０の突部２２に係止している。すなわち、コイルスプリング３０の引張り力によりボールペンレフィール２０は尾端側に弾発されている。
【００１３】
しかして、ペン体２１が軸筒１０内に没入した図１の状態からノック釦５１をノックすると、ノック棒５０は回転力を付与しながら回転子５０を前進させ、図２に示すように、ペン体２１が軸筒１０の先端開口から突出するとともに、回転子５０がカム筒４０の段部に係止して筆記可能になる。また、再びノック釦５１をノックすると、回転子５０が少し前進してカム筒４０の段部との係止が解除され、ノックを解除すると、コイルスプリング３０の弾発力により後退して図１の状態に戻る。
【００１４】
ボールペンレフィール２０のインキを使い切って交換するとき、前軸１２を後軸１１から分離すると、ボールペンレフィール２０は前軸１２と共に後軸１１から分離される。そして、インキを使い切ったレフィール２０をコイルスプリング３０から引き抜き、次に新しいレフィール２０を前軸１２の尾端開口から挿入してコイルスプリング３０の先端孔に差し込むが、コイルスプリング３０が円錐状であって、後端の大径部３２が前軸の尾端側に固定されているので、コイルスプリング３０の先端が揺れてもペン体２１がコイルスプリング３０の内周面に案内されるのでコイルスプリング３０の先端孔に容易に差し込むことができる。そして、前軸１２を後軸１１に接続すると係止部３１は突部２２に係止してレフィール交換が完了する。また、コイルスプリング３０を前軸１２の尾端側に固し、先口１３には固定しないので、先口１３の案内部１３１を短くすることができ、ノック時の作動感が向上する利点を有する。
【図面の簡単な説明】
【００１５】
【図１】ペン体が没入した状態の本発明実施例の断面図である。
【図２】ペン体が突出した状態の本発明実施例の断面図である。
【図３】従来例の説明図である。
【符号の説明】
【００１６】
１０      軸筒
１１      後軸
１２      前軸
１３      口金
１３１    案内部
１４      継ぎ手
２０      ボールペンレフィール
２１      ペン体
２２      突部
３０      コイルスプリング
３１      係止部
３２      大径部
３３      先端部
４０      カム筒
５０      ノック棒
５１      ノック釦
６０      回転子
【図１】
2006130852.tif 000003
【図２】
2006130852.tif 000004
【図３】
2006130852.tif 000005